(57)【要約】      （修正有）【課題】エンドシステムに対し習熟不要のフレームワークを実現する。【解決手段】ファイナルフレームワークは仮想現実空間における物を描画オブジェクトとして実現し、描画をポインタで移動させることが可能である。仮想現実は、物手段（オブジェクト）の形式で記述し、且つ、制御手段のＧＵＩ手段として使用する。【選択図】図１
2009266209.tif 000002
【特許請求の範囲】
【請求項１】
ファイナルフレームワークは、
仮想現実の描画（空間）領域を描画するための描画（空間）領域データ手段と、
前記描画（空間）領域データ手段をもとに描画（空間）領域を描画する領域描画手段
と、
前記描画（空間）領域に、物（オブジェクト）を描画するための物（オブジェクト）領域データ手段と、
物（オブジェクト）領域データ手段をもとに、物（オブジェクト）を描画する物（オブジェクト）描画手段
と、
前記描画（空間）領域中を移動可能なポインタ手段と、
前記ポインタ手段の移動量または移動値（座標値）を検出するポインタ手段の移動検出手段と、
前記ポインタが前記描画（空間）領域において描画されている物（オブジェクト）領域または、その領域外の領域を選択するためのポインタ手段の選択手段
と、
前記物（オブジェクト）領域を内とし、その領域外の領域を外とした時、前記領域内にポインタが存在する場合領域内信号を、その領域外にポインタが存在する場合領域外信号を出力する領域内外検出手段
と、
前記ポインタ手段の選択手段と、領域内外検出手段との出力値を論理演算する論理演算手段
と、
前記論理演算手段の出力信号によりプログラムを起動するプログラム起動手段と
を備える事を特徴とするファイナルフレームワーク。
【請求項２】
ファイナルフレームワークは、
仮想現実の描画（空間）領域を描画するための描画（空間）領域データ手段と、
前記描画（空間）領域データ手段をもとに描画（空間）領域を描画する領域描画手段
と、
前記描画（空間）領域に、物（オブジェクト）を描画するための物（オブジェクト）領域データ手段と、
物（オブジェクト）領域データ手段をもとに、物（オブジェクト）を描画する物（オブジェクト）描画手段
と、
前記描画（空間）領域中を移動可能なポインタ手段と、
前記ポインタ手段の移動量または移動値（座標値）を検出するポインタ手段の移動検出手段と、
前記ポインタが前記描画（空間）領域において描画されている物（オブジェクト）領域または、その領域外の領域を選択するためのポインタ手段の選択手段
と、
前記物（オブジェクト）領域を内とし、その領域外の領域を外とした時、前記領域内にポインタが存在する場合領域内信号を、その領域外にポインタが存在する場合領域外信号を出力する領域内外検出手段
と、
前記ポインタが前記物（オブジェクト）の領域内に存在するときに出力される前記領域内外検出手段からの信号にて、物（オブジェクト）の描画領域またはその近接した描画領域に、領域内信号により出現（起動）したり、領域外信号により消えたり（終了したり）する２次元形状または３次元形状の動的タブ手段と
を備える事を特徴とするファイナルフレームワーク。
【請求項３】
請求項１または請求項２のいづれかにおけるファイナルフレームワークは、
前記ファイナルフレームワークにおいて、
論理演算手段は、
第１時刻にて
選択手段が物（オブジェクト）領域を選択した時の信号Ip値1と、
領域内外検出手段が領域内部にポインタが存在する時のの信号Ia値１と、
連続した第２時刻にて
前記信号Ip値1と
前記信号Ia値０と、
が検出された時、
プログラム起動手段にプログラムを起動する信号を出力する。
【請求項４】
請求項１または請求項２のいづれかにおけるファイナルフレームワークは、
前記ファイナルフレームワークにおいて、
論理演算手段は、
第１時刻にて
選択手段が物（オブジェクト）領域を選択した時の信号Ip値1と、
領域内外検出手段が領域内部にポインタが存在する時のの信号Ia値１と、
連続した第２時刻にて
前記信号Ip値1と
前記信号Ia値０と、
連続した第３時刻に
前記信号Ip値０と
前記信号Ia値０と、
が検出された時、
プログラム起動手段にプログラムを起動する信号を出力する。
【請求項５】
請求項１から請求項５におけるいづれかの  
ファイナルフレームワークは
前記描画（空間）領域に描画される１枚以上の静止画像からなり、
前記静止画像は、ボタンなどの選択子を動作させていない定常状態にて、
（前記領域内外検出手段の信号に対応して、かつ）
ポインタの座標値に対応して描画される定常ポインタ対応画像描画手段を備える事を特徴とするファイナルフレームワーク。
【請求項６】
ファイナルフレームワークは、
実際の物体をＣＣＤカメラなどの撮像手段にて撮影した画像またはコンピュータで作製された画像のいづれかまたはその両方の１枚以上の静止画（複数枚は動画となる場合もある。）を物（オブジェクト）に対応した対応画像とし、
前記ポインタが物（オブジェクト）を選択した時点から選択解除される期間（ボタンなどの選択子を動作させた過渡状態）において、
ポインタの示す座標に対応する前記静止画を描画（空間）に描画する
過渡ポインタ対応画像描画手段を
備えることを特徴とするファイナルフレームワーク。
【請求項７】
請求項６のファイナルフレームワークは、
前記過渡状態において、過渡ポインタ対応画像描画手段が、
ボタンなどの選択子が選択状態である時に作動する選択状態過渡ポインタ対応画像描画手段である事を特徴とするファイナルフレームワーク。
【請求項８】
請求項６のファイナルフレームワークは、
前記過渡状態において、過渡ポインタ対応画像描画手段が、
ボタンなどの選択子が選択状態が持続されている時に作動する持続状態過渡ポインタ対応画像描画手段である事を特徴とするファイナルフレームワーク。
【請求項９】
請求項６のファイナルフレームワークは、
前記過渡状態において、過渡ポインタ対応画像描画手段が、
ボタンなどの選択子が選択状態である時に作動する選択解除過渡ポインタ対応画像描画手段である事を特徴とするファイナルフレームワーク。
【請求項１０】
請求項５から請求項８のいづれかのファイナルフレームワークは、
ポインタが同一座標に静止または、ある一定時間静止した時に作動するポインタ停止状態対応画像描画手段である事を特徴とするファイナルフレームワーク。
【請求項１１】
請求項１から請求項１０におけるいづれかのファイナルフレームワークは、
自動作業やオフィス内を案内するナビゲータ作業などのためにポインタを移動するポインタ移動手段
を備えることを特徴とするファイナルフレームワーク。  
【請求項１２】
ファイナルフレームワークは、
描画（空間）領域データをオフィス毎に交換、新生する描画（空間）領域データ交換手段
を備えることを特徴とするファイナルフレームワーク。
【請求項１３】
ファイナルフレームワークは、
納品した機器に対応した物（オブジェクト）をファイナルフレームワークで動作させるための納品機器対応手段
を備えることを特徴とするファイナルフレームワーク。
【請求項１４】
請求項１から請求項１３におけるいづれかのファイナルフレームワークは、
インターネット上で動作させるインターネット手段
を備えることを特徴とするファイナルフレームワーク。
【請求項１５】
請求項１から請求項１４におけるいづれかのファイナルフレームワークは、
系列オフィスに共同で規格化されたサービスを提供するための規格化サービス手段を一元管理できる系列オフィス手段
を備えることを特徴とするファイナルフレームワーク。
【発明の詳細な説明】
【技術分野】
【０００１】
本発明は、普遍的なフレームワークを提供する事などに関する技術である。
それでいて全てのユーザーに対して対応できる種類のＧＵＩをプログラム変更なしに対応できる技術である。さらにまたインターネット上での仮想体験もプログラム変更なしに対応できる。
【背景技術】
【０００２】
従来には、このような技術はなかった。
【発明の開示】
【発明が解決しようとする課題】
【０００３】
現状のプログラムは、ボタン、メニューなどのＧＵＩ手段をともなった制御手段を数多く有し、さらにそのＧＵＩ手段自身が抽象化していて、使用者は何を意味する制御手段なのか把握するために判読困難なマニュアルを読むなど、習得時間をさかねばならなかったり、習得練習を強いられることになっていた。さらに、特願２００７ー０２２５２５のファイナルフレームワークでの実施例、変形例においては、まだボタン、メニューが残っているが、本願発明においては、ボタン、メニュなどの制御手段もさらに具体的なＧＵＩ手段、すなわち実写などからの画像、アニメ、３次元画像などの仮想現実の物手段（オブジェクト）に置き換えてしまった物である。言い換えれば、抽象化された万人に判りやすい制御手段は、ひとりひとりにとっては、他人との思考の差を埋める必要のあるＧＵＩ手段ということであった。これを一人一人に特化、または求める具体的なＧＵＩ手段をともなった制御手段とすることで、学習０または０に近い制御手段とする。またこの効果によりさらに自らが体験するであろう環境もシミュレートできる制御手段ともなる。
さらに従来のプログラミング開発形態においては、ＯＳがあり、その上にて各種のフレームワーク内にワープロならワープロといったプログラムを記載実行していた。これらの開発形態においては、常に独自のプログラムを記載する以前にＧＵＩなどのフレームワークをまず作成して、その後に独自プログラムをそのフレームワーク内に適合させてプログラムを開発していた。これにより独自のプログラムを記載するまでに多大な労力を有していたし、またＯＳやフレームワークの仕様変更に際して常にプログラムのかなりの部分を書き直していた。また個々のアプリケーションに対して個々にフレームワークを作らねばならなく大変な労力を有してきた。
【課題を解決するための手段】
【０００４】
１〔請求項１の手段〕
請求項１のファイナルフレームワークは、
ファイナルフレームワークは、
仮想現実の描画（空間）領域を描画するための描画（空間）領域データ手段と、
前記描画（空間）領域データ手段をもとに描画（空間）領域を描画する領域描画手段
と、
前記描画（空間）領域に、物（オブジェクト）を描画するための物（オブジェクト）領域データ手段と、
物（オブジェクト）領域データ手段をもとに、物（オブジェクト）を描画する物（オブジェクト）描画手段
と、
前記描画（空間）領域中を移動可能なポインタ手段と、
前記ポインタ手段の移動量または移動値（座標値）を検出するポインタ手段の移動検出手段と、
前記ポインタが前記描画（空間）領域において描画されている物（オブジェクト）領域または、その領域外の領域を選択するためのポインタ手段の選択手段
と、
前記物（オブジェクト）領域を内とし、その領域外の領域を外とした時、前記領域内にポインタが存在する場合領域内信号を、その領域外にポインタが存在する場合領域外信号を出力する領域内外検出手段
と、
前記ポインタ手段の選択手段と、領域内外検出手段との出力値を論理演算する論理演算手段
と、
前記論理演算手段の出力信号によりプログラムを起動するプログラム起動手段と
を備える事を特徴とする
２〔請求項２の手段〕
請求項２ののファイナルフレームワークは、
前記ポインタが前記物（オブジェクト）の領域内に存在するときに出力される前記領域内外検出手段からの信号にて、物（オブジェクト）の描画領域またはその近接した描画領域に、領域内信号により出現（起動）したり、領域外信号により消えたり（終了したり）する２次元形状または３次元形状の動的タブ手段と
を備える事を特徴とする。
３〔請求項３の手段〕
請求項３のファイナルフレームワークは、
前記ファイナルフレームワークにおいて、
論理演算手段は、
第１時刻にて
選択手段が物（オブジェクト）領域を選択した時の信号Ip値1と、
領域内外検出手段が領域内部にポインタが存在する時のの信号Ia値１と、
連続した第２時刻にて
前記信号Ip値1と
前記信号Ia値０と、
が検出された時、
プログラム起動手段にプログラムを起動する信号を出力する
事を特徴とする。
４〔請求項４の手段〕
請求項４のファイナルフレームワークは、
前記ファイナルフレームワークにおいて、
論理演算手段は、
第１時刻にて
選択手段が物（オブジェクト）領域を選択した時の信号Ip値1と、
領域内外検出手段が領域内部にポインタが存在する時のの信号Ia値１と、
連続した第２時刻にて
前記信号Ip値1と
前記信号Ia値０と、
連続した第３時刻に
前記信号Ip値０と
前記信号Ia値０と、
が検出された時、
プログラム起動手段にプログラムを起動する信号を出力する事
を特徴とする
５〔請求項５の手段〕
請求項５ののファイナルフレームワークは、
前記描画（空間）領域に描画される１枚以上の静止画像からなり、
前記静止画像は、ボタンなどの選択子を動作させていない定常状態にて、
（前記領域内外検出手段の信号に対応して、かつ）
ポインタの座標値に対応して描画される定常ポインタ対応画像描画手段を備える事を特徴とする。
６〔請求項６の手段〕
請求項６ののファイナルフレームワークは、
実際の物体をＣＣＤカメラなどの撮像手段にて撮影した画像またはコンピュータで作製された画像のいづれかまたはその両方の１枚以上の静止画（複数枚は動画となる場合もある。）を物（オブジェクト）に対応した対応画像とし、
前記ポインタが物（オブジェクト）を選択した時点から選択解除される期間（ボタンなどの選択子を動作させた過渡状態）において、
ポインタの示す座標に対応する前記静止画を描画（空間）に描画する
過渡ポインタ対応画像描画手段を
備えることを特徴とする。
７〔請求項７の手段〕
請求項７のファイナルフレームワークは、
前記過渡状態において、過渡ポインタ対応画像描画手段が、
ボタンなどの選択子が選択状態である時に作動する選択状態過渡ポインタ対応画像描画手段である事を特徴とする。
８〔請求項８の手段〕
請求項８のファイナルフレームワークは、
前記過渡状態において、過渡ポインタ対応画像描画手段が、
ボタンなどの選択子が選択状態が持続されている時に作動する持続状態過渡ポインタ対応画像描画手段である事を特徴とする。
９〔請求項９の手段〕
請求項９のファイナルフレームワークは、
前記過渡状態において、過渡ポインタ対応画像描画手段が、
ボタンなどの選択子が選択状態である時に作動する選択解除過渡ポインタ対応画像描画手段である事を特徴とする。
１０〔請求項１０の手段〕
請求項１０のファイナルフレームワークは、
ポインタが同一座標に静止または、ある一定時間静止した時に作動するポインタ停止状態対応画像描画手段である事を特徴とする。
１１〔請求項１１の手段〕
請求項１１のファイナルフレームワークは、
自動作業やオフィス内を案内するナビゲータ作業などのためにポインタを移動するポインタ移動手段
を備えることを特徴とする。
１２〔請求項１２の手段〕
請求項１２のファイナルフレームワークは、
描画（空間）領域データをオフィス毎に交換、新生する描画（空間）領域データ交換手段
を備えることを特徴とする。
１３〔請求項１３の手段〕
請求項１３のファイナルフレームワークは、
納品した機器に対応した物（オブジェクト）をファイナルフレームワークで動作させるための納品機器対応手段
を備えることを特徴とする。
１４〔請求項１４の手段〕
請求項１４のファイナルフレームワークは、
インターネット上で動作させるインターネット手段
を備えることを特徴とする。
１５〔請求項１５の手段〕
請求項１５のファイナルフレームワークは、
系列オフィスに共同で規格化されたサービスを提供するための規格化サービス手段を一元管理できる系列オフィス手段
を備えることを特徴とする。
【発明の効果】
【０００５】
前述のごとく、まず２次元のファイナルフレームワーク（ＧＵＩを主に最小限のボタン手段にて実現していた。）が誕生し、そして仮想現実型の本ファイナルフレームワーク（ファイナルフレームワークＶＲ）が誕生したが、本ファイナルフレームワークにおいては、請求項１の手段によるリアルＧＵＩ手段（プログラム起動手段は除いても良い。）と請求項２における動的タブ手段のいづれかまたは、その組み合わせにて、ある画面内にて最大（数）のＧＵＩ手段を習熟０にて実現している。これは、他のどのようなＧＵＩでも到達できなかった効果である。
１〔請求項１の作用および効果〕
請求項１のファイナルフレームワークは、
ファイナルフレームワークは、
仮想現実の描画（空間）領域を描画するための描画（空間）領域データ手段と、
前記描画（空間）領域データ手段をもとに描画（空間）領域を描画する領域描画手段
と、
前記描画（空間）領域に、物（オブジェクト）を描画するための物（オブジェクト）領域データ手段と、
物（オブジェクト）領域データ手段をもとに、物（オブジェクト）を描画する物（オブジェクト）描画手段
と、
前記描画（空間）領域中を移動可能なポインタ手段と、
前記ポインタ手段の移動量または移動値（座標値）を検出するポインタ手段の移動検出手段と、
前記ポインタが前記描画（空間）領域において描画されている物（オブジェクト）領域または、その領域外の領域を選択するためのポインタ手段の選択手段
と、
前記物（オブジェクト）領域を内とし、その領域外の領域を外とした時、前記領域内にポインタが存在する場合領域内信号を、その領域外にポインタが存在する場合領域外信号を出力する領域内外検出手段
と、
前記ポインタ手段の選択手段と、領域内外検出手段との出力値を論理演算する論理演算手段
と、
前記論理演算手段の出力信号によりプログラムを起動するプログラム起動手段と
を備える事を特徴とするので、
ＧＵＩから抽象的なボタンやメニュといった制御手段を少なくまたは消し去る事により、具体的または/かつ日常的な作業という制御手段とすることにより非常に高い操作性を発揮する。老人であっても、幼児であっても実際の現実世界が制御手段となるので、容易に操作ができる。
２〔請求項２の作用および効果〕
請求項２ののファイナルフレームワークは、
前記ポインタが前記物（オブジェクト）の領域内に存在するときに出力される前記領域内外検出手段からの信号にて、物（オブジェクト）の描画領域またはその近接した描画領域に、領域内信号により出現（起動）したり、領域外信号により消えたり（終了したり）する２次元形状または３次元形状の動的タブ手段と
を備える事を特徴とするので、
マウスなどのポンタ手段の選択手段が仮想現実の物手段（オブジェクト）にさしかかるなどすると
動的タブが出現し、現実世界と同等な直感的な閲覧、操作ができる。これにより高い閲覧性や操作性が得られる。また動的タブは、タブ効率が高く、同一面積画面でも最大数のタブをつける事ができる。
３〔請求項３の作用および効果〕
請求項３のファイナルフレームワークは、
前記ファイナルフレームワークにおいて、
論理演算手段は、
第１時刻にて
選択手段が物（オブジェクト）領域を選択した時の信号Ip値1と、
領域内外検出手段が領域内部にポインタが存在する時の信号Ia値１と、
連続した第２時刻にて
前記信号Ip値1と
前記信号Ia値０と、
が検出された時、
プログラム起動手段にプログラムを起動する信号を出力する
事を特徴とするので、
マウスなどのポンタ手段の選択手段が仮想現実の物手段（オブジェクト）を選択し
ポンタ手段の移動検出手段ポインタ手段の前記仮想現実の物手段（オブジェクト）外への移動によりプログラム起動手段がプログラムを起動するので、直感的な操作ができる。これにより高い操作性が得られる。
４〔請求項４の作用および効果〕
請求項４のファイナルフレームワークは、
前記ファイナルフレームワークにおいて、
論理演算手段は、
第１時刻にて
選択手段が物（オブジェクト）領域を選択した時の信号Ip値1と、
領域内外検出手段が領域内部にポインタが存在する時のの信号Ia値１と、
連続した第２時刻にて
前記信号Ip値1と
前記信号Ia値０と、
連続した第３時刻に
前記信号Ip値０と
前記信号Ia値０と、
が検出された時、
プログラム起動手段にプログラムを起動する信号を出力する事
を特徴とするので、
マウスなどのポンタ手段の選択手段が仮想現実の物手段（オブジェクト）を選択し
ポンタ手段の移動検出手段ポインタ手段の前記仮想現実の物手段（オブジェクト）外への移動、そして領域外での選択解除によりプログラムが起動するので、直感的な操作ができる。これにより高い操作性が得られる。
５〔請求項５の作用および効果〕
請求項５のファイナルフレームワークは、
前記描画（空間）領域に描画される１枚以上の静止画像からなり、
前記静止画像は、ボタンなどの選択子を動作させていない定常状態にて、
（前記領域内外検出手段の信号に対応して、かつ）
ポインタの座標値に対応して描画される定常ポインタ対応画像描画手段を備える事を特徴とするので、
６〔請求項６の作用および効果〕
請求項６のファイナルフレームワークは、
実際の物体をＣＣＤカメラなどの撮像手段にて撮影した画像またはコンピュータで作製された画像のいづれかまたはその両方の１枚以上の静止画（複数枚は動画となる場合もある。）を物（オブジェクト）に対応した対応画像とし、
前記ポインタが物（オブジェクト）を選択した時点から選択解除される期間（ボタンなどの選択子を動作させた過渡状態）において、
ポインタの示す座標に対応する前記静止画を描画（空間）に描画する
過渡ポインタ対応画像描画手段を
備えることを特徴とするので、
より現実感がでる。
７〔請求項７の作用および効果〕
請求項７のファイナルフレームワークは、
前記過渡状態において、過渡ポインタ対応画像描画手段が、
ボタンなどの選択子が選択状態である時に作動する選択状態過渡ポインタ対応画像描画手段である事を特徴とするので、
より現実感がでる。
８〔請求項８の作用および効果〕
請求項８のファイナルフレームワークは、
前記過渡状態において、過渡ポインタ対応画像描画手段が、
ボタンなどの選択子が選択状態が持続されている時に作動する持続状態過渡ポインタ対応画像描画手段である事を特徴とするので、
より現実感がでる。
９〔請求項９の作用および効果〕
請求項９のファイナルフレームワークは、
前記過渡状態において、過渡ポインタ対応画像描画手段が、
ボタンなどの選択子が選択状態である時に作動する選択解除過渡ポインタ対応画像描画手段である事を特徴とするので、
より現実感がでる。
１０〔請求項１０の作用および効果〕
請求項１０のファイナルフレームワークは、
ポインタが同一座標に静止または、ある一定時間静止した時に作動するポインタ停止状態対応画像描画手段である事を特徴とするので、
より現実感がでる。
１１〔請求項１１の作用および効果〕
請求項１１のファイナルフレームワークは、
自動作業やオフィス内を案内するナビゲータ作業などのためにポインタを移動するポインタ移動手段
を備えることを特徴とするので、
自動的に操作ができる。リモートコントロールが可能になる。これにより簡単に第３者によるナビを行える。
１２〔請求項１２の作用および効果〕
請求項１２のファイナルフレームワークは、
描画（空間）領域データをオフィス毎に交換、新生する描画（空間）領域データ交換手段
を備えることを特徴とするので、
部屋の内装、スタッフ、機材などの変更、診療内容の変更、掃除などに伴い描画（空間）領域データを変更できるので、容易に販売会社は、有料、無料にてサービスが行える。いままで特殊なソフト以外のソフトの年間保守契約料は、徴収するのが困難または不可能であった。このシステムでは、全てのソフト、そしてソフトに関係の無い機材、人材、ビルなどの全ての環境に関して保守料の設定が可能である。また無料の場合、顧客訪問というビジネスチャンスを生むので、販売促進という保守料が徴収できる。
１３〔請求項１３の作用および効果〕
請求項１１のファイナルフレームワークは、
納品した機器に対応した物（オブジェクト）をファイナルフレームワークで動作させるための納品機器対応手段
を備えることを特徴とするので、
納品した機器に対応した物（オブジェクト）をファイナルフレームワークで動作させるための納品機器対応手段
を備えるので、
顧客の管理が完璧に行える。
バージョンアップを有償で行いやすい。またメンテナンス料も請求しやすい。
そして、なによりもソフトの不正使用がないので、完璧なコピー防止策となる。
１４〔請求項１４の作用および効果〕
請求項１１のファイナルフレームワークは、
インターネット上で動作させるインターネット手段
を備えることを特徴とするので、
インターネット上で仮想体験ができるので非常に高い効果の広告となる。
医院の場合、治療、予防内容が仮想体験できるので、より高品質な医院を選択できる。
またソフト販売においても、ソフトのバージョンアップやメインテナンスを頻繁にできるので利益率が高い。
歯科医院などの店舗に仮想来院体験できるので、自分が受診したい医院か否かを簡単に判別できる。
１５〔請求項１５の作用および効果〕
請求項１１のファイナルフレームワークは、
系列オフィスに共同で規格化されたサービスを提供するための規格化サービス手段を一元管理できる系列オフィス手段
を備えることを特徴とするので、
最高の手本（ファイナルフレームワークＶＲ）ひとつあれば、全てのオフィスにてそれを利用できる。
特に請求項１１から請求項１２の手段は、
いままで特殊なソフト以外のソフトの年間保守契約料は、徴収するのが困難または不可能であった。このシステムでは、全てのソフト、そしてソフトに関係の無い機材、人材、ビルなどの全ての環境に関して保守料の設定が可能である。また無料の場合、顧客訪問というビジネスチャンスを生むので、販売促進という保守料が徴収できる。
もちろんスポット契約は、可能であるので、スポット契約または年間保守契約の選択を提示できる。
［その他の効果特徴］
ファイナルフレームワークは、オフィスを仮想体験できる。
前記仮想現実に物手段からのポインタによる移行動作によりプログラムが実行されるので、大変わかりやすくプログラムを探し、実行することができる。
いいかえるなら、現実世界の感覚にてプログラムを起動、使用できる。そして従来の仮想現実より、極小の容量にて（それゆえ超高速の動作にて）、従来の仮想現実以上の仮想現実感覚を提供できる。
フレームワークや、プログラムのフレームワークを持続的な成長をともなっていても完全なフレームワークとして恩恵を受ける事ができる。
完全なオブジェクト指向によるプログラミング開発ができる。
ＯＳの可視化ができたり、データベースの可視化ができる。  コンベンショナルなプログラムも動作でき、資産継承が楽である。
【発明を実施するための最良の形態】
【０００６】
本発明の ファイナルフレームワークを、図１〜図９に示す実施例または変形例に基づき説明する。
【０００７】
〔実施例の構成〕
図１においてファイナルフレームワークは、
制御手段と、
その制御手段のＧＵＩ（グラフィックユーザーインターフェイス）手段として
仮想現実（手段）の物手段（オブジェクト）
とを少なくとも備える。
【０００８】
既知の仮想現実（手段）の物手段（オブジェクト）に、既知イベント発生手段を結合させる事などにより実現する。これによりボタン、メニューより、より操作しやすいＧＵＩにできる。
また図４のごとくに作製しても良い。この場合、全てをハードウェアにて作成してもよいし、またコンピュータ上の仮想空間を利用しても良い。
さらにここで、特願２００７ー０２２５２５のリアルコンパイラを使用しても良いし、また特願２００７ー０２２５２５のビジュアルナビゲーション手段を使用してもよい。
具体的には、実際に使用してる医院の画像を既知の表示手段にて画面に表示する。そして制御したい物に対して、実際に使用している医院の画像を張り込んだ既知の開発環境のボタン（制御手段の一例）を配置する。
【０００９】
さらに具体的には図１のごとく医院画像中の顕微鏡自体の写真画像｛仮想現実の物手段（オブジェクト）｝にボタン手段としての制御手段（ＧＵＩ手段）を既知のプログラム開発環境などにて付与するなどである。この制御手段は、既知のボタン手段でありマウスなどの既知のポインタ手段にて作動させることができる。押せば顕微鏡用のプログラムが起動するようにプログラミングされている。
【００１０】
［動作］
図１のごとくに顕微鏡画像をマウスポインタ手段にて左ボタンダウンする。そうすると図２のごとくにプログラム実行手段が実行されて、画像キャプチャソフトなど顕微鏡用のプログラムが起動する。
【００１１】
［効果］
すなわち、ＧＵＩから抽象的な制御手段を少なくまたは消し去る事により、具体的または日常的な制御手段とすることにより非常に高い操作性を発揮する。老人であっても、幼児であっても実際の現実世界が制御手段となるので、容易に操作ができる。
【００１２】
従来のソフトに使用されているフレームワークは、ほとんど全てがボタン、メニューといった制御手段であり、これらは従来、ソフトを操作する個々人に馴染みのない抽象的な制御手段である。それを実際の現実を実写などの画像、アニメ、３次元画像などにした仮想現実の物手段（オブジェクト）で置き換える事により、より具体的な制御手段とする事ができるので、操作が何の習熟も成しに使用ができる。これにより導入教育時間が０となったり、マニュアル不要となったりするなど、利便性が非常に高くなる。この効果は、現在考えられる最も大きな産業の加速力を持っていると考えられるほど効果が高い。また後述の種々な効果を発揮する基礎ともなる。
【００１３】
［変形例］
制御手段は、ボタン手段であったが、メニュー、チェックボックス、リスト、各種ビュー、などどのような制御手段でもよい。他の実施例でも同様である。また制御される被制御手段もどのような手段でも良い。  またボタンの場合など３次元的ボタンでも良いし、また２次元的ボタンでも良い。さらに押した時にへこんだようにみえたり、選択した事が判明するなどの構造変化手段を制御手段が有しても良い。さらにまたＧＵＩ手段の画像は、カルテ、内視鏡、各種微生物検査装置、など具体的な物であればなんでもよい。
【００１４】
さらなる詳細な説明：
【００１５】
各手段の説明
図４や図８の各手段の一例を以下に開示する。
描画手段、記憶手段、表示手段、ポインタ手段、演算手段、制御手段などは、公知のコンピュータの各手段を使用してもよいし、また独自に製作しても良い。
表示手段は、液晶ディスプレイやブラウン管ディスプレイや有機ＥＬディスプレイなどの、電気信号を画像に変換し画像を画面に表示する画面を有する表示手段である。
描画手段は、記憶手段に記憶されたデータを表示手段の画面に描画するものである。特に、描画手段は、表示手段の画面全体への全体描画手段の他に、画面の部分への部分描画手段をも備えている方が好適である。
ポインタ手段は、前記画面上に矢印などの形の画像をマウスなどのポインタ制御手段で制御するものである。とくに画面上の座標や前記記憶手段内での座標値を読み取れる座標値取得手段を備えたポインタ手段が好適である。さらにポインタ手段は、ボタンなどにて画像の選択や描画などに使用する信号手段であるるボタンを搭載している。
演算手段は、ＣＰＵ、ＤＳＰ、コプロセッサ、ＦＰＵ、や汎用ロジック回路などにより作成さるか、ソフトウェアにて作成された手段であり入力の値に対して、後述のごとくに決められた論理演算処理を行い、出力するものである。この論理演算処理により独特な応答をさせる事ができる。この時ＡＳＩＣ、ＰＬＤあるいは、ハードウェアゲートなどの汎用ロジックにて論理回路を作成しても良い。これらの場合、高速、高安定性を得ることができる。
【００１６】
１  仮想現実の描画（空間）領域を描画するための描画（空間）領域データ手段と、
２  前記描画（空間）領域データ手段をもとに描画（空間）領域を描画する領域描画手段
撮像素子などにて撮影されたり、ＣＧにより創られた描画（空間）用の描画（空間）領域データを前記記憶手段に記憶したもの。一例として、図  における医院内の静止画を記憶手段に記憶しておき、それを描画（空間）領域データ手段とし、
領域描画手段が前記描画（空間）領域データ手段をもとに描画（空間）領域を描画する。
この時、静止画を複数枚撮影しておいて、動画としても良い。
また、この時実写アニメーションとして作成し、描画（空間）領域データとして使用してもよい。実写アニメーションとは、前記領域描画手段などを使用し、実空間の静止画像を組み合わせて動画を作成するものである。この時特に、領域描画手段に個々の静止画のコマ送り時間を可変するコマ送り時間可変手段をそなえたり、個々の静止画内における要素画を動かす要素画動画手段を備えるのが好ましい。
この領域描画手段は、既知のコンピュータを使用しても良いし、また独自に作成した描画装置でも良い。
【００１７】
３  前記描画（空間）領域に、物（オブジェクト）を描画するための物（オブジェクト）領域データ手段と、
４  物（オブジェクト）領域データ手段をもとに、物（オブジェクト）を描画する物（オブジェクト）描画手段
i   前記部分描画手段を使用する。
ii  前記描画（空間）領域データにおける物（オブジェクト）を描画する部分のデータを、物（オブジェクト）に書き換える。この場合、最初の画像をバッファリングしておいて、必要に応じて物（オブジェクト）を消したり、移動した時に描画空間が消されないようにしても良い。
などの手段を採用する。
【００１８】
５  前記描画（空間）領域中を移動可能なポインタ手段
物（オブジェクト）が描画（空間）領域に描画されているが、この領域も描画（空間）領域上として、ポインタは、基本的に自由に行き来できる。  もちろんポインタ移動制限手段にて移動領域を制限してもよい。
i   前記部分描画手段を使用する。
ii  前記描画（空間）領域データにおけるポインタを描画する部分のデータを、ポインタに書き換える。この場合、最初の画像をバッファリングしておいて、ポインタを移動した後に元のデータに戻しても良い。
【００１９】
６  前記ポインタ手段の移動量または移動値（座標値）を検出するポインタ手段の移動検出手段
i  ある始点からの距離を求めるポインタ距離手段の場合。
始点手段、終点手段、距離演算手段とからなる。
ii  ある始点からの移動量を求めるポインタ移動量手段
始点手段、終点手段、移動量演算手段とからなる。
【００２０】
７  前記ポインタが前記描画（空間）領域、その領域に描画されている物（オブジェクト）領域または、その領域外の領域を選択するためのポインタ手段の選択手段
マウスのボタン手段を使用しても良いし、押しボタン、トグル、スライドなど他のスイッチやボタンなどを使用しても良い。
【００２１】
８  前記物（オブジェクト）領域を内とし、その領域外の領域を外とした時、前記領域内にポインタが存在する場合領域内信号を、その領域外にポインタが存在する場合領域外信号を出力する領域内外検出手段
ポインタの座標値取得手段からの値が前記領域の座標集合体値と重なっているか否かを判断する領域内外検出手段などを採用する。    具体的には、ポインタの座標値取得手段から、ポインタが示す座標（ｘ、ｙ）が常時出力されている。この値と領域集合体の個々の座標値を比較して領域内か、領域外がを演算する。
【００２２】
９  前記ポインタ手段の選択手段と、領域内外検出手段との出力値を論理演算する論理演算手段
前記ポインタ手段の選択手段と、領域内外検出手段との出力値を、入力の値として決められた論理演算処理を行い、出力するものである。この論理演算処理により独特な応答をさせる事ができる。
ＡＳＩＣ、ＰＬＤあるいは、ハードウェアゲートなどの汎用ロジックにて論理回路を作成しても良いし、ソフトで実現しても良い。
ハードウェアにて作成すれば、高速、高安定性を得ることができる。
【００２３】
１０  前記論理演算手段の出力信号などによりプログラムを起動するプログラム起動手段と
前記論理演算手段の出力値などに応答しプログラムを起動する手段。これもハードウェアにて作成しても良く、その場合、プログラム起動手段は、装置起動手段となる。ある手段やある装置の電源をＯＮにする手段でもある。
【００２４】
１１  動的タブ手段（ＤｙｎａｍｉｃＴａｂ手段）：
前記ポインタが前記物（オブジェクト）の領域内に存在するときに出力される前記領域内外検出手段からの信号にて、物（オブジェクト）の描画領域またはその近接した描画領域に、領域内信号により出現（起動）したり、領域外信号により消えたり（終了したり）する２次元形状または３次元形状の動的タブ手段（ＤｙｎａｍｉｃＴａｂ手段）
図９のごとくポインタが動的タブの存在するであろう領域にさしかかると、動的タブが出現する。一例として、図９のごとくカルテ棚のある部分にポインタがさしかかると前記領域内外検出手段の出力値が１あるいはＯＮとなり、その値に反応して動的タブが描画手段により描画される。そして、一例においては、動的タブを前記選択手段にて選択するとプログラムが起動する。選択手段は、マウスのボタンでも良いし、またキーボードスイッチなどの選択手段であっても良い。さらにまた、図４の起動手段を動的タブ手段（ＤｙｎａｍｉｃＴａｂ手段）に採用してもよい。
【００２５】
特に３次元形状の動的タブ手段（ＤｙｎａｍｉｃＴａｂ手段）は、タブ効率が良い。タブ効率とは、同一面積におけるタブの最高付与数で表す。同じ大きさの画面において、この３次元形状の動的タブは、より多くのタブを設置可能であり、識別も良好である。
２次元でのファイナルフレームワークは、ＧＵＩの主力手段が、最小限のボタン手段にて実現されたが、３次元のファイナルフレームワークでは、最大数の３次元形状の動的タブ（ＤｙｎａｍｉｃＴａｂ）にて実現される。さらに３次元のファイナルフレームワークは、図１〜図３、そしてそのブロック図である図４にて示される物（オブジェクト）によるプログラム起動や、物（オブジェクト）によるボタンによりＧＵＩが実現されるので、さらに画面使用効率が高いし、習熟度が２次元ファイナルフレームワークに比べて、さらに高く、習熟度０を実現している。なぜなら自分の実オフィスの機械や内装を知らないオーナーはいないからである。そしてこれは、後述の１  描画（空間）領域データ交換手段、２  納品機器対応手段、３  インターネット手段、４  系列オフィス手段を実現させる事ができるＧＵＩとなっている。
【００２６】
---------------------------------論理演算手段の詳細一例-----------------------------------------------
前記の-論理演算手段の論理回路の例を以下に開示する。
【００２７】
第１例として、
論理演算手段は、
第１時刻にて
選択手段が物（オブジェクト）領域を選択した時の信号Ip値1と、
領域内外検出手段が領域内部にポインタが存在する時のの信号Ia値１と、
連続した第２時刻にて
前記信号Ip値1と
前記信号Ia値０と、
が検出された時、
プログラム起動手段にプログラムを起動する信号を出力する。
【００２８】
第２例として
論理演算手段は、
第１時刻にて
選択手段が物（オブジェクト）領域を選択した時の信号Ip値1と、
領域内外検出手段が領域内部にポインタが存在する時のの信号Ia値１と、
連続した第２時刻にて
前記信号Ip値1と
前記信号Ia値０と、
連続した第３時刻に
前記信号Ip値０と
前記信号Ia値０と、
が検出された時、
プログラム起動手段にプログラムを起動する信号を出力する。
---------------------------------論理演算手段の詳細例-----------------------------------------------
【００２９】
---------------------------------ポインタ対応画像描画手段の詳細例-----------------------------------------------
図８におけるポインタ対応画像描画手段の一例を以下に開示する。
これらは、前記描画手段により描画される。また前記ポインタの座標値取得手段からの座標（信号）値により制御される。
【００３０】
第１例として、  
前記描画（空間）領域に描画される１枚以上の静止画像からなり、
前記静止画像は、ボタンなどの選択子を動作させていない定常状態にて、
（前記領域内外検出手段の信号に対応して、かつ）
ポインタの座標値に対応して描画される定常ポインタ対応画像描画手段を備える事を特徴とするファイナルフレームワーク。
【００３１】
第２例として、
実際の物体をＣＣＤカメラなどの撮像手段にて撮影した画像またはコンピュータで作製された画像のいづれかまたはその両方の１枚以上の静止画（複数枚は動画となる場合もある。）を物（オブジェクト）に対応した対応画像とし、
前記ポインタが物（オブジェクト）を選択した時点から選択解除される期間（ボタンなどの選択子を動作させた過渡状態）において、
ポインタの示す座標に対応する前記静止画を描画（空間）に描画する
過渡ポインタ対応画像描画手段を
備えることを特徴とするファイナルフレームワーク。
【００３２】
ボタンなどの選択子を動作させた過渡状態における前記対応画像は、
選択動作  選択動作対応画像
持続動作  持続動作対応画像
選択解除  選択解除対応画像
などの画像に対応してもよい。
【００３３】
第３例として、
前記第２例における過渡状態において、過渡ポインタ対応画像描画手段が、
ボタンなどの選択子が選択状態である時に作動する選択状態過渡ポインタ対応画像描画手段である事を特徴とするファイナルフレームワーク。
【００３４】
第４例として、
前記第２例における過渡状態において、過渡ポインタ対応画像描画手段が、
ボタンなどの選択子が選択状態が持続されている時に作動する持続状態過渡ポインタ対応画像描画手段である事を特徴とするファイナルフレームワーク。
【００３５】
第５例として、
前記第２例における過渡状態において、過渡ポインタ対応画像描画手段が、
ボタンなどの選択子が選択状態である時に作動する選択解除過渡ポインタ対応画像描画手段である事を特徴とするファイナルフレームワーク。
【００３６】
第６例として、
ファイナルフレームワークは、
ポインタが同一座標に静止または、ある一定時間静止した時に作動するポインタ停止状態対応画像描画手段である事を特徴とするファイナルフレームワーク。
前記第１例と第２例（そして第３例〜第６例）に対応して
停止動作  停止動作対応画像      Helpモードへ    など環境設定できるようにするとさらに良い。
【００３７】
［変形例］
変形例としてのポインタ移動手段
自動作業やオフィス内を案内するナビゲータ作業などのためにポインタを移動するポインタ移動手段
を備えることを特徴とするファイナルフレームワーク。  
ポインタは、仮想人間の指などでもよい。または指先マウスでも良い。
---------------------------------ポインタ対応画像描画手段の詳細例-----------------------------------------------
【００３８】
---------------------------------  Ｓ手段の詳細例  -----------------------------------------------
以下の１から４をＳ手段（サービス手段）として開示する。
【００３９】
１  描画（空間）領域データ交換手段
ファイナルフレームワークは、
描画（空間）領域データをオフィス毎に交換、新生する描画（空間）領域データ交換手段
を備えることを特徴とする。
前記ファイナルフレームワークでのデータ手段の一部または、全部を交換する事により実現される。さらにまた、それに対応するプログラムも交換してもよい。この手段は、手動にて行っても良いし、既知のリモート手段にて行われても良い。
［効果］
ファイナルフレームワークは、
描画（空間）領域データをオフィス毎に交換、新生する描画（空間）領域データ交換手段
を備えるので、
部屋の内装、スタッフ、機材などの変更、診療内容の変更、掃除などに伴い描画（空間）領域データを変更できるので、容易に販売会社は、有料、無料にてサービスが行える。いままで特殊なソフト以外のソフトの年間保守契約料は、徴収するのが困難または不可能であった。このシステムでは、全てのソフト、そしてソフトに関係の無い機材、人材、ビルなどの全ての環境に関して保守料の設定が可能である。また無料の場合、顧客訪問というビジネスチャンスを生むので、販売促進という保守料が徴収できる。
【００４０】
２  納品機器対応手段
ファイナルフレームワークは、
納品した機器に対応した物（オブジェクト）をファイナルフレームワークで動作させるための納品機器対応手段を備えることを特徴とする。
前記ファイナルフレームワークでのデータ手段の一部または、全部を交換する事により実現される。さらにまた、それに対応するプログラムも交換してもよい。この手段は、手動にて行っても良いし、既知のリモート手段にて行われても良い。
［効果］
ファイナルフレームワークは、
納品した機器に対応した物（オブジェクト）をファイナルフレームワークで動作させるための納品機器対応手段を備えるので、顧客の管理が完璧に行える。
バージョンアップを有償で行いやすい。またメンテナンス料も請求しやすい。
そして、なによりもソフトの不正使用がないので、完璧なコピー防止策となる。
前記ファイナルフレームワークでのデータ手段の一部または、全部を交換や、前記プログラムのの一部または、全部を交換する事で実現できる。
【００４１】
３  インターネット手段
ファイナルフレームワークは、
インターネット上で動作させるインターネット手段を備えることを特徴とするファイナルフレームワーク。  このファイナルフレームワークは、オフィスをインターネット上にて仮想体験できる。
既存のＯＳ上でのリモートデスクトップ手段を使用して実現してもよいし、またブラウザ手段を使用して実現してもよい。
［効果］
インターネット上で医院などの仮想体験ができるので、自分が求める医療か否かが簡単に判断できる。この時前述でのファイナルフレームワーク（ＶＲ版）を使用できるのでパソコン習熟度０でも簡単に仮想体験できる。
【００４２】
４  系列オフィス手段
ファイナルフレームワークは、
系列オフィスに共同で規格化されたサービスを提供するための規格化サービス手段を一元管理できる系列オフィス手段
を備えることを特徴とするファイナルフレームワーク。
このファイナルフレームワークは、オフィスを仮想体験する際に、個々の医院での多くの雑多な仮想体験を一元化し、最良の仮想体験できる医院のファイナルフレームワークを使用できるので、系列オフィスに共同で規格化されたサービスを提供でき、全世界どこにいっても同じ規格の診療を受ける事ができる事を閲覧者に仮想体験を通じて伝える事ができる。
［効果］
ファイナルフレームワークは、
インターネット上で動作させる  インターネット手段  を備えるので、
インターネット上で仮想体験ができるので非常に高い効果の体験や広告となる。
医院の場合、治療、予防内容が仮想体験できるので、より高品質な医院を選択できる。
またソフト販売においても、ソフトのバージョンアップやメインテナンスを頻繁にできるので利益率が高い。
【００４３】
［総合効果］
いままで特殊なソフト以外のソフトの年間保守契約料は、徴収するのが困難または不可能であった。このシステムでは、全てのソフト、そしてソフトに関係の無い機材、人材、ビルなどの全ての環境に関して保守料の設定が可能である。また無料の場合、顧客訪問というビジネスチャンスを生むので、販売促進という保守料が徴収できる。
以上のＳ手段は、ビジネスモデルとして使用されても良い。
---------------------------------  Ｓ手段の詳細例  -----------------------------------------------
【００４４】
以上の手段は、使用者や製造者が取捨選択して組み合わせて使用しても良い。
【実施例１】
【００４５】
［第１実施例の形態］
第１実施例のファイナルフレームワークは、少なくとも仮想現実の物手段（オブジェクト）とポインタ手段の選択手段を備える。
【００４６】
［構成］  
前記仮想現実の物手段（オブジェクト）に対して、マウスなどのポインタ手段の選択手段にて選択（マウスボタンダウンなどのイベントにてセレクトするなど）し、さらにそのポインタ手段の移動検出手段によりポインタの移動が０より大きく検出したなら、その前記仮想現実の物手段（オブジェクト）に対応するプログラムがプログラム起動手段により起動する事を特徴とするフレームワーク。これらは、既知の開発手段により構築される。
【００４７】
［動作］
電源をONにすると、図１の画面が立ち上がる。
そして、図１のごとくマウスを顕微鏡に位置させて、マウス左ボタンダウンすると顕微鏡が選択され、そしてその状態にてマウスをドラッグ（移動）させると顕微鏡画像（キャプチャー）手段が立ち上がる。（図２）そして顕微鏡画像を観察したり、保存したりする。
【００４８】
［効果］
効果その１  
基本的に抽象的なボタンやメニューが一切不要になる。すなわち従来は、ボタンを押して顕微鏡画像（キャプチャー）手段を立ち上げていたので、どのボタンがこの目的の動作のボタンかをマニュアルやヘルプ手段などで知る必要があった。
しかし、顕微鏡画像をポインタなどで指示するのは、顕微鏡を使用する事と見ただけで理解できるので、習熟なしに操作ができる。さらに画面を不用意に押しても動作しないので、不要な動作を防止できる。
効果その２
Ａ  普遍的なフレームワークを創り出す事により、フレームワーク部分プログラムの書き換え不要とする。
それでいて、
Ｂ  ユーザー数以上の種類のインターフェィス（特にGUI）をプログラム変更なしに用意できる。（FFのインターフェィス（GUI）は、ユーザー毎に、またユーザーの仕事場の変更に伴い、などなどに対して全て違うインターフェィスを容易に用意できる。）
さらに
Ｃ  インターネットでの強力な認知ツールとして、プログラム変更なしにインターネット上での使用ができる。院内ナビが以下の３により従来のどのようなナビより高い体験を提供する。それゆえ利用者に高い認知力を提供する。
【００４９】
［変形例］  
その１
上記実施例では、ドラッグして直ちにプログラムを起動したが、
前記仮想現実の物手段（オブジェクト）に対して、マウスなどのポインタ手段の選択手段にて選択（マウスボタンダウンなどのイベントにてセレクトするなど）し、さらにそのポインタ手段の移動検出手段によりポインタの移動（量）を検出し、かつその前記仮想現実の物手段（オブジェクト）領域をポインタが外れる事を検出する領域内外検出手段が作動し、その前記仮想現実の物手段（オブジェクト）に対応するプログラムがプログラム起動手段により起動してもよい。（図３）上記実施例より、画面を不用意に押しても動作しないので、より不要な動作を防止できる。時系列における信号（変化）例は、図４のポインタ値、領域内外値、出力値における表現では、ポインタ値１１、領域内外値１０で出力値０１などである。
【００５０】
その２
上記実施例では、ドラッグして直ちにプログラムを起動したが、
前記仮想現実の物手段（オブジェクト）に対して、
マウスなどのポインタ手段の選択手段にて、前記物手段（オブジェクト）を選択（マウスボタンダウンなどのイベントにてセレクトするなど）した事を検出し、
さらに前記選択手段が前記選択状態を持続的に検出し、その検出状態にて、
そのポインタ手段の移動検出手段によりポインタの移動（量）を検出し、
その前記仮想現実の物手段（オブジェクト）領域をポインタが外れる事を検出する領域内外検出手段が作動し、領域外において、
前記選択手段がマウスボタンを解放した事を検出したら、
その前記仮想現実の物手段（オブジェクト）に対応するプログラムがプログラム起動手段により起動してもよい。（図３）上記実施例より、さらに現実感がます。また変形例その１と同等以上に誤動作が減少する。  時系列における信号（変化）例は、図４のポインタ値１１０、領域内外値１００で出力値００１などである。
【実施例２】
【００５１】
第２実施例のファイナルフレームワークは、ファイナルフレームワークの製造工程を開示する。本ＦＦ（２）は、下記１と３行程を推薦する。
【００５２】
１  部品を創る。    フロートモード          （従来プログラムも含む）
フレームはFF仕様  特願2007- 22525を参照。
最小限のボタンで構成する。  
既存のＯＳ上にて、各手段を作成する行程、一例として顕微鏡ファイリングソフトなら、ファイル手段、ブラウザ手段、キャプチャ手段を個々に部品として作成する。さらに具体的には、個々の部品は、個々にＯＳ上にて動作する。もちろんＯＳの基本機能であるプロセス間制御手段を使用してもよい。
２  FF１  ドックモード＝クラシックアプリケーションモード
FFの枠組みを使用。  特願2007- 22525を参照。一例として、プログラムのＤ＆Ｄ、      ＶＮ、ＶＡ、ＶＬ、処置ナビ、辞書、などの手段の採用である。さらに特願2007- 22525のごとくに多重データベース化しても良い。
この行程は、前記１で作成した部品を特願2007- 22525などのＦＦ１で作り上げる行程としても良い。
また、
前記１の部品（フロート状態）をドック状態にするだけでも良い。これは、ＯＳ機能を使用しても良い。
この行程を採用するか否かは、製造者の自由であり、必ずしも必要ではない。
３  FF２VR    実写アニメモード（ＶＲモード）    インターネットモードも可能
本出願のＦＦを使用。
プログラムのアニメ起動（プログラムのＤ＆Ｄを含む、ＶＲ内、ウィンドウ間で起動する。）
４   VR部分にコンピュータグラフィック（ＣＧ）を添加する必要があるなら、CGなど添加する行程。従来の仮想現実は、この第４段階にあたり、この仮想現実は、かなりコンピュータにとって重たい処理となり現在のＣＰＵでは、かなり苦しく、さらにインターネット上では、動作不可能に近いが、将来現行のＣＰＵ処理能力の１００倍程度以上のＣＰＵが開発されることもありえるので記載した。
【００５３】
［総合変形例］
Ａ  インテグレーションレイヤ（手段）
前記仮想現実の物手段（オブジェクト）の集合体がＧＵＩであるレイヤである。
【００５４】
実際の現実画像による制御手段を提供できるので高い操作性を有する。
さらにこの上部に貼られたコンベンショナルレイヤに情報を受け渡したり、コンベンショナルレイヤからの情報を受け取り、受け取った情報にもとずきデータベースを構築したり、データ処理したり、特願２００７ー０２２５２５の各手段における（ＦＦ）処理をしたりできる。
【００５５】
このレイヤによりＯＳを実現できたりする。
さらに重要な点は、ＯＳの可視化ができたり、データベースの可視化ができる。
【００５６】
Ｂ  コンベンショナルレイヤ（手段）
インテグレーションレイヤのプログラムから/プログラムへ、データを受け渡しする。従来のプログラム部分であり、インテグレーションレイヤーのフィルタでもある。
これは、従来のプログラムの入出力手段が、インテグレーションレイヤの入出力手段に接続されて実現する。
具体的な一例では、インテグレーションレイヤをダイナミックリンクライブラリで作成し、その引数を入出力手段とするなどである。この引数をコンベンショナルレイヤが引数として入出力手段とするなどである。
【００５７】
ＧＵＩを始めとしたフレームワークなど、プログラムを完結しないと確立できずに何度も書き換える従来方プログラムに対して、ほとんど書き換えなくても持続的な成長が可能となる。
【００５８】
フレームワークや、プログラムのフレームワークを持続的な成長をともなっていても完全なフレームワークとして恩恵を受ける事ができる。
【００５９】
Ｃ  リモート手段    
既知のリモート手段などにより前記手段をリモートホストとし、患者がその仮想空間にて仮想来院できるローカルホスト手段を提供する。
このとき、仮想来院した患者は、来院手数料を既知の仮想体験サイト料金支払い手段にて支払うようにしても良い。
【００６０】
上記実施例においては、仮想空間にはスタッフがいなかったが、仮想Ｄｒや仮想ＤＨなどの仮想スタッフ手段を使用しても良い。さらに仮想診断、仮想治療、仮想予防などの人工知能手段にて仮想医院を体験しても良い。これらも既知の開発手段またはリアルコンパイラにて作成してもよいし、また完全なハードウェアにて作成しても良い。
さらに高精度な仮想体験ができるので、さらに自分に合った医院か否かが判明する。
【００６１】
図５，図６、図７は、領域手段の表示を明確に枠で囲んだ一例でもあり、複数種の領域手段を使用した例でもある。
図５，図６、図７の仮想現実（実写アニメ）手段の画像において、向かって左上のシーンチェンジャー（ボタン）手段にて背景が移り変わる仮想現実の画像を切り替えても良い。右矢印ボタンで右のチェア−に、左矢印ボタンで左のチェア−に背景がアニメ的に変わる。非常に少ないリソースにて仮想現実が実現できる。（上矢印ボタンで天井が見える。下矢印ボタンで床が見える。）
図５，図６、図７の仮想現実（実写アニメ）手段の画像において、向かって右上にカルテ棚手段、シーンチェンジャー（ボタン）手段により変わるであろう背景のプレビュー画像（表示）手段、デンタルサイズエックス線装置手段、オルソタイプ断層エックス線手段、種々なプログラムをボタン起動したい時のボタンランチャー手段などを備えてもよい。ボタンランチャー手段には、特願2007- 22525のパレット手段が入っているが、どのようなプログラムを入れるかは製造者や使用者の自由である。また待合室（表示や応答）手段や、玄関（表示や応答）手段、受付（表示や応答）手段、技工室（表示、応答やＣＡＤ／ＣＡＭ）手段などを表示しても良い。
【００６２】
カルテ棚手段は、第１実施例における変形例その１、その２を使用し、ポインタをポインタ変化手段にてカルテアイコンに変化させると、あたかもカルテ棚からカルテを取り出すアニメ的表現が可能となるなど、さらに現実に近づく快適な操作感が得られる。（さらにカルテアイコンをアニメにするアイコンアニメ手段を使用すれば、さらに現実感を増加させ操作性が向上する。）このような仮想現実の実現の仕方は、従来のＣＧタイプの仮想現実に比べて、リソースが極端に少なくてすむ利点がある。これにより超高速や、低速回線のインターネット環境でも高速応答させる事ができる。さらに利用者の得たい情報をスムーズに得ることにも寄与している。
さらにこの場合、歯科医院への仮想体験ができ、どのような医療を受ける事がきるか、医院の雰囲気はどのようか、などの情報が短時間に的確に得られる。
さらにドクターや衛生士も何の練習もせず、すぐに道具を使用できる。さらに述べれば、医院での使用者と、患者が同じ仮想現実を利用できるので、さらに利便性が高い。
【００６３】
上記実施例または変形例は単独で実施しても良いし、また組み合わせて実施しても良い。
さらにまたＣ＋＋、Ｃ＃、ＢＡＳＩＣなど既知の開発環境を使用して完全なソフトウェアにて作成しても良いし、また完全なハードウェアにて作成しても良い、その両者の組み合わせでも良い。また他の用途に使用しても良い。また上記手段に関しても、術者や製造者が取捨選択し使用、製造するなど単独あるいはどのような組み合わせの構成をなしてもよい。
【００６４】
具体的には、特願２００７ー０２２５２５の各手段を組み合わせて使用してもよいなどである。さらに具体的な一例には、パレット手段をプログラムの起動場所として使用するなどである。また他の例としては、特願２００７ー０２２５２５のリアルコンパイラ（手段）やビジュアルナビゲーション手段を使用、併用するなどである。
さらにまたインターネット上に表示するブラウザ手段を伴っても良い。この場合、インターネット上で本手段をそのまま動作させても良いし、また制限手段にて動作に制限を与えてもよい。
【産業上の利用可能性】
【００６５】
ソフトの習熟が不要である。ソフト開発の生産性が大幅に上昇する。仮想来院できるので、時間の無駄がない。店舗、スタッフの感じがつかめる。など社会の流れが著しくかつ急速に上昇する。ＦＦは、どのような他の手段より格段に全産業の生産性を著しく向上する。
【図面の簡単な説明】
【００６６】
【図１】ファイナルフレームワークの一例。
【図２】仮想現実の物手段（オブジェクト）に対応するプログラムが起動する例。              ドラッグした瞬間に立ち上がる例。
【図３】仮想現実の物手段（オブジェクト）に対応するプログラムが起動する例。              領域外で立ち上がる例。顕微鏡画像（物手段）外にて起動する。            領域外にてマウスＵＰやマウスＤｏｗｎの解除などにてプログラムが起動する例でもある。
【図４】ブロックダイアグラムの一例。
【図５】さらに進化したＦＦの一例  複数の領域手段の一例。        仮想現実は、ののむら歯科クリニックの１番チェア−付近空間            向かって左上のシーンチェンジャー（ボタン）にて背景が移り変わる。            右矢印ボタンで右のチェア−に、左矢印ボタンで左のチェア−に背景がアニメ的に変わる。非常に少ないリソースにて仮想現実が実現できる。            上矢印ボタンで天井が見える。下矢印ボタンで床が見える。            右上は、カルテ棚手段、仮想現実である背景のプレビュー画像（表示）手段、デンタルサイズエックス線装置手段、オルソタイプ断層エックス線手段、ボタンランチャー手段などである。
【図６】さらに進化したＦＦの一例  複数の領域手段の一例。        仮想現実は、ののむら歯科クリニックの２番チェア−付近空間
【図７】さらに進化したＦＦの一例  複数の領域手段の一例。        仮想現実は、ののむら歯科クリニックの３番チェア−付近空間
【図８】過渡ポインタ対応ファイナルフレームワークの一例。            Ｓ手段も開示。
【図９】動的タブ手段（ＤｙｎａｍｉｃＴａｂ手段）のタブ一例。動的タブ手段（ＤｙｎａｍｉｃＴａｂ手段）の動作一例。
【図４】
2009266209.tif 000003
【図８】
2009266209.tif 000004
【図１】
2009266209.tif 000005
【図２】
2009266209.tif 000006
【図３】
2009266209.tif 000007
【図５】
2009266209.tif 000008
【図６】
2009266209.tif 000009
【図７】
2009266209.tif 000010
【図９】
2009266209.tif 000011